(57)【要約】【課題】  使用済みの針をプランジャ体内に引き込むよう容易に且つ滑らかに動作することのできる、使い捨て注射器を提供する。【解決手段】  使い捨て注射器は、抵抗力によって、バレル（２）の内側周囲バレル壁面（２３０）に係合する針台座（４１）に対し、バレル（２）内で可動であるプランジャを含む。プランジャは、プランジャ体（５）と、プランジャ体（５）と摩擦係合し、保持力によって、針台座（４１）の繋止部（４１２）に係合するよう置かれる中央繋止領域（６３）を有する連結ロッド（６）とを含む。従って、プランジャ体（５）が、中央繋止領域（６３）を繋止部（４１２）と係合するように動かされると、抵抗力はなくなり、針台座（４１）がバレル（２）から外れることを可能にし、また、連結ロッド（６）及び針台座（４１）が、付勢部材（７）の付勢動作によって、プランジャ体（５）内に引き込まれることが可能となる。【選択図】      図３
2004321775.tif 000002
【特許請求の範囲】
【請求項１】
針カニューレ（４２）と、
バレル（２）と、
プランジャと、を含み、
上記バレルは、軸（Ｘ）を取り囲み、且つ、通路を画成する内側周囲バレル壁面（２３０）を有し、上記通路は、上記軸（Ｘ）と平行な長手方向において互いに対向するよう置かれる開いた下端（２３２）及び開いた上端（２３１）を有し、上記内側周囲バレル壁面（２３０）は、後方の通路を画成する大きい直径のセグメント（２２）と前方の通路を画成する小さい直径のセグメント（２１）を含み、上記大きい直径のセグメント（２２）は上記下端（２３２）に近接して置かれ、上記小さい直径のセグメント（２１）は上記上端（２３１）に近接して置かれ、それにより、間に周囲肩部（２６）を形成し、上記小さい直径のセグメント（２１）は、前方周囲領域（２３３）と、上記周囲肩部（２６）に近接する後方周囲領域（２３４）を含み、上記大きい直径のセグメント（２２）は、上記長手方向において互いに対向し、上記周囲肩部（２６）に近接する近位周囲領域（２２１）と、上記周囲肩部（２６）から遠位の遠位周囲領域（２２２）を含み、
上記プランジャは、使用位置では、上記大きい直径のセグメント（２２）内で可動であるよう置かれる、使い捨て注射器であって、
管状針台座（４１）と、
グリップ部材（３、２５、４１５）と、
付勢部材（７）と、
保持部材（８）と、
トリガ部材と、
を含み、
上記管状針台座（４１）は、内部に上記針カニューレ（４２）を固定するよう配置され、上記軸（Ｘ）に対して半径方向に延在する周囲前端壁（４１１）を有するハブ部（４１６）と、上記長手方向において、上記周囲前端壁（４１１）から離れるよう、上記ハブ部（４１６）から延在する周囲グリップ部（４１７）と、上記長手方向において、上記ハブ部（４１６）から離れるよう、上記周囲グリップ部（４１７）から延在する繋止部（４１２）と、を含み、
上記グリップ部材（３、２５、４１５）は、上記周囲グリップ部（４１７）を、上記後方周囲領域（２３４）及び上記近位周囲領域（２２１）の一方に係合させるよう置かれ、上記グリップ部材（３、２５、４１５）は、皮下注射又は静脈注射のために上記針カニューレ（４２）を刺す動作の間における、上記周囲グリップ部（４１７）の上記後方周囲領域（２３４）及び上記近位周囲領域（２２１）の一方に対する動作を阻止するよう所定の位置に上記周囲グリップ部（４１７）を保持し、且つ、上記グリップ部材に第１の外力が加えられたときに、上記内側周囲バレル壁面（２３０）に対する上記管状針台座（４１）の次の動作を可能にするよう、上記後方周囲領域（２３４）及び上記近位周囲領域（２２１）の一方から、上記周囲グリップ部（４１７）を外すことを可能にする抵抗力を与えるよう構成され、
上記プランジャは、プランジャ体（５）と連結ロッド（６）を含み、上記プランジャ体（５）は、上記繋止部（４１２）に向かって可動である上端壁（５４３）と、上記長手方向において上記上端壁（５３４）とは反対にあり、手動で動作可能であるよう上記開いた下端（２３２）から外側に延在する下端壁（５４４）と、上記上端壁（５４３）と上記下端壁（２３２）の間に置かれ、収容チャンバ（５１）を画成する管状中間壁（５４）とを含み、上記上端壁（５４３）は、上記軸（Ｘ）を取り囲み、上記収容チャンバ（５１）と連通するアクセス開口（５３）をその内部に画成する内側円周縁部（５４５）を有し、上記連結ロッド（６）は、上記アクセス開口（５３）内に挿入される上部連結端（６１）と上記上部連結端（６１）から上記下端壁（５４４）に向かって延在するシャンク部（６７）を含み、上記上部連結端（６１）は、上記繋止部（４１２）と係合可能な中央繋止領域（６３）を有し、上記繋止部（４１２）と上記中央繋止領域（６３）との係合は、上記係合が、上記周囲グリップ部（４１７）を上記後方周囲領域（２３４）及び上記近位周囲領域（２２１）の一方から外す際に、外れないような保持力でなされ、上記上部連結端は更に、上記中央繋止領域（６３）を取り囲み、上記内側円周縁部（４５４）と摩擦係合するよう置かれ、上記摩擦係合は、上記管状針台座（４１）の上記上部連結端（６１）に対する動作によって上記上部連結端（６１）が上記下端壁（５４４）に向かって押されると、上記連結ロッド（６）が、上記内側円周縁部（５４５）から外れ、それにより、上記連結ロッド（６）が使用位置から、上記連結ロッド（６）が上記下端壁（５４４）の近くに配置される引き込まれた位置に押されることを可能にする周囲接触領域（６６）を含み、上記シャンク部（６７）は、スラストエンド（６２）にて終端し、
上記付勢部材（７）は、上記シャンク部（６７）と上記管状中間壁（５４）との間に置かれ、上記連結ロッド（６）を上記引き込まれた位置に付勢し、
上記保持部材（８）は、上記付勢部材（７）の付勢動作に対抗して、上記スラストエンド（６２）を上記使用位置に保持するよう置かれ、
上記トリガ部材は、第２の外力に応答して、上記保持部材（８）が上記スラストエンド（６２）を保持することを阻止するよう置かれ、それにより、上記連結ロッド（６）が上記引き込まれた位置に向けて付勢されることを可能にすることを特徴とする使い捨て注射器。
【請求項２】
上記管状中間壁（５４）は、上記軸（Ｘ）について半径方向において互いに対向する外側管状壁面（５４６）と内側管状壁面（５４１）を有し、上記保持部材（８）は、上記内側管状壁面（５４１）に形成され、上記外側管状壁面（５４６）に向けて半径方向に延在し、上記上端壁（５４３）からずらされる保持溝（８１）を有し、
上記付勢部材（７）は、上記シャンク部（６７）を取り囲むコイルバネ（７）であり、上記コイルバネ（７）は、上記上端壁（５４３）に係合する上端（７１）と、上記上端（７１）の反対側にある下端（７２）を有し、上記下端（７２）は、上記付勢動作に対抗して、上記保持溝（８１）内に挿入され且つ上記保持溝（８１）内で保持され、
上記トリガ部材は、上記スラストエンド（６２）に連結し且つ上記スラストエンド（６２）と共に動く押し端（８２）と、上記上部連結端（６１）が上記内側円周縁部（５４５）から外されるよう押下されるとき、上記押し端（８３）が上記スラストエンド（６２）と共に下方向に動かされると、上記保持溝（８１）から上記下端（７２）を引き抜くよう置かれる引き抜き端（８９）とを有する作動部を含み、それにより、上記連結ロッド（６）が、上記付勢動作により、上記引き込まれた位置に動くよう押されることを可能にすることを特徴とする請求項１記載の使い捨て注射器。
【請求項３】
上記付勢部材（７）は、上記シャンク部（６７）を取り囲むコイルバネ（７）であり、上記コイルバネ（７）は、上記上端壁（５４３）に係合する上端（７１）と、上記上端（７１）の反対側にある下端（７２）を有し、
上記スラストエンド（６２）は、広げられた端縁（８４）を有し、上記広げられた端縁（８４）は、上記シャンク部（６７）と協働して、上記コイルバネ（７）の上記下端（７２）が係合する接触肩（６２１）を形成し、
上記管状中間壁（５４）は、上記軸（Ｘ）に対し半径方向において互いに対向する外側管状壁面（５４６）と内側管状壁面（５４１）を有し、上記外側管状壁面（５４６）は、上記内側管状壁面（５４１）を通り半径方向に延在するアクセス孔（８６）を有し、
上記保持部材（８）は、上記アクセス孔（８６）内に受容されるロックピン（８７２）を有し、上記ロックピン（８７２）は、上記ロックピン（８７２）が上記付勢動作に対抗して上記広げられた端縁（８４）に接触するロック位置と、上記付勢動作によって、上記連結ロッドを上記引き込まれた位置に動かすために上記広げられた端縁（８４）を開放するよう上記ロックピン（８７２）が引かれる開放位置との間で半径方向に可動であり、
上記トリガ部材は、支点（８７１）において上記外側管状壁面（５４６）上にピボット可能に取付けられ、上記ロックピン（８７２）と一体に形成される重み端（８７４）と上記支点（８７１）について上記重み端（８７４）の反対側に置かれ、上記ロックピン（８７２）を上記開放位置に動かすよう作動される作動端（８７４）とを含むことを特徴とする請求項１記載の使い捨て注射器。
【請求項４】
上記近位周囲領域（２２１）には、保持突出部（２３８）が形成され、上記グリップ部材（３）は、第１の摩擦力で、上記保持突出部（２３８）と動かないよう係合し、上記近位周囲領域（２２１）と密水性であるよう係合するよう構成される外側グリップ壁面（３２）と、上記軸（Ｘ）について半径方向において上記外側グリップ壁面（３２）と対向し、第２の摩擦力で、上記周囲グリップ部（４１７）と動かないよう係合する内側グリップ壁面（３１）とを含み、上記第１の摩擦力と上記第２の摩擦力は共に、上記抵抗力として作用する請求項１記載の使い捨て注射器。
【請求項５】
上記小さい直径のセグメント（２１）は、上記前方周囲領域（２３３）と上記後方周囲領域（２３４）との間に置かれる肩（２３５）を有して、上記周囲前端壁（４１１）の前方方向への動作を阻止し、それにより、上記抵抗力より大きい上記第１の外力によって、上記上端壁（５４３）が動かされて、上記グリップ部材（３）を上記周囲肩部（２６）に向けて押すと、上記周囲グリップ部（４１７）が、上記内側グリップ壁（３１）及び上記近位周囲領域（２２１）から外れることを可能にし、それにより、上記中央繋止領域（６３）と上記繋止部（４１２）が係合することを可能にすることを特徴とする請求項４記載の使い捨て注射器。
【請求項６】
上記中央繋止領域（６３）は、上記繋止部（４１２）に向かって延在して、上記繋止部（４１２）内に挿入し且つ上記繋止部（４１２）内で保持されるエンボスピン（６５）を有し、それにより、保持力が与えられることを特徴とする請求項５記載の使い捨て注射器。
【請求項７】
上記後方周囲領域（２３４）と気密であるよう係合し、それにより、上記グリップ部材（３）と協働して上記近位周囲領域（２２１）に圧縮可能なチャンバ（４４３）を画成するシール部材（４４）を更に含み、
上記圧縮可能なチャンバ（４４３）には、流体が満たされ、上記針台座（４１）の上記ハブ部（４１６）は、上記圧縮可能なチャンバ（４３３）と流体連通するスルーホール（４１３）がその内部に形成され、それにより、上記グリップ部材（３）が、上記周囲肩部（２６）に向けて動かされると、上記流体は、上記スルーホール（４１３）内に流れる込むようにされ、それにより、上記上部連結端（６１）の上記下端壁（５４４）へ向けての押し下げを支援し、従って、上記連結ロッド（６）が上記引き込まれた位置に動く速度を速めることを特徴とする請求項４記載の使い捨て注射器。
【請求項８】
上記外側管状壁面（５４６）に置かれる第１の雄ネジ山セグメント（５４７）と、上記遠位周囲領域（２２）に置かれる第１の雌ネジ山セグメント（２４）を有し、それにより、上記第１の雄ネジ山セグメント（５４７）と上記第１の雌ネジ山セグメント（２４）のネジ込み係合によって上記第２の外力を与えることを特徴とする請求項１記載の使い捨て注射器。
【請求項９】
上記グリップ部材は、上記後方周囲領域（２３４）に置かれる第２の雌ネジ山セグメント（２５）と、上記周囲グリップ部（４１７）に置かれる第２の雄ネジ山セグメント（４１５）を含み、上記第２の雄ネジ山セグメント（４１５）は、上記第２の雌ネジ山セグメント（２５）にネジ切りされて係合し、上記係合は、上記周囲グリップ部（４１７）と上記後方周囲領域（２３４）との間に上記抵抗力が与えられ、且つ、上記第２の雌ネジ山セグメント（２５）から上記第２の雄ネジ山セグメント（４１５）を外すことにより、上記抵抗力がなくなり、それにより、上記周囲グリップ部（４１７）を上記後方周囲領域（２３４）から外すことを可能にするよう行われ、
上記中央繋止領域（６３）は、上記繋止部（４１２）に対応し、上記繋止部（４１２）と係合するよう上記長手方向において延在する係合凹部と、上記係合凹部内に置かれる第３の雌ネジ山セグメント（６８）を有し、
上記繋止部（４１２）は、第３の雄ネジ山セグメント（４１４）を有し、上記第３の雄ネジ山セグメント（４１４）と上記第３の雌ネジ山セグメント（６８）を互いに回転することにより、上記中央繋止領域（６３）を上記繋止部（４１２）に係合することを可能にし、それにより、上記保持力を提供することを特徴とする請求項１記載の使い捨て注射器。
【請求項１０】
内部にダクトを画成し、上記バレル（２）上にスリーブ状にはめられるスリーブ部と、上記軸（Ｘ）に沿って上記スリーブ部とは反対にある先端部とを含むカテーテルハブ（９１）と、上記先端部に置かれ、上記軸（Ｘ）に沿って延在して、上記ダクトと流体連通する近位セグメントと、上記近位セグメントから上記軸（Ｘ）に沿って延在し、上記先端部の外側に突出する遠位セグメントを有する管状カテーテル（９２）とを更に含み、
上記針カニューレ（４２）は、上記管状カテーテル（９２）を通り延在し、上記管状カテーテル（９２）の外側に突出する先端（４２１）において終端することを特徴とする請求項１記載の使い捨て注射器。
【請求項１１】
上記バレル（２）は、上記軸（Ｘ）を取り囲み、上記軸（Ｘ）について半径方向において、上記小さい直径のセグメント（２１）に対向するよう配置される前方外側周囲セグメント（２９１）と、上記大きい直径のセグメント（２２）に対向するよう配置される後方外側周囲セグメント（２９２）と、上記前方外側周囲セグメント（２９１）上に置かれ、上記長手方向に延在するリブ部（２３６）とを有し、
上記使い捨て注射器は更に、
上記リブ部（２３６）上に摩擦があるようにスリーブ状にはめられる先端保護体（４３）を含み、それにより、上記針カニューレ（４２）を保護することを特徴とする請求項１記載の使い捨て注射器。
【請求項１２】
上記外側バレルへ壁面（２９）は更に、上記前方外側周囲セグメント（２９１）と上記後方外側周囲セグメント（２９２）の間に置かれ、上記前方外側周囲セグメント（２９１）から上記後方外側周囲セグメント（２９２）に向かって次第に広がる移行周囲セグメント（２９３）を更に含み、従って、上記リブ部（２３６）を上記移行周囲セグメント（２９３）に延長することは、上記先端保護体（４３）が上記リブ（２３６）にスリーブ状にはめられると、上記先端保護体（４３）と上記リブ部（２３６）との間の固い係合を確実にすることを特徴とする請求項１１記載の使い捨て注射器。
【請求項１３】
上記トリガ部材は、上記連結ロッド（５）の上記スラストエンド（６２）から延在する広げられた端縁（８４）であり、上記広げられた端縁（８４）は、上記シャンク部（６７）と協働して、上記コイルバネ（７）の上記下端（７２）と係合する接触肩（６２１）を形成し、
上記保持部材（８）は、上記内側管状壁面（５４１）に形成される保持溝（８１）と、上記広げられた端縁（８４）上に形成され且つ上記広げられた端縁（８４）から半径方向に延在して、上記保持溝（８１）を開放可能に係合する突出部（８５）を有することを特徴とする請求項１記載の使い捨て注射器。
【請求項１４】
上記収容チャンバ（５１）は、上記上端壁（５４３）に近い前方チャンバ領域（５１１）と、上記下端壁（５４４）に近い後方チャンバ領域（５１２）を含み、
上記後方チャンバ領域（５１２）は、上記前方チャンバ領域（５１１）よりも寸法において大きく、それにより、上記付勢部材（７）が、上記連結ロッド（６）を上記引き込まれた位置に付勢するときに、上記付勢部材（７）の通路をクリアにすることを特徴とする請求項１記載の使い捨て注射器。
【発明の詳細な説明】
【技術分野】
【０００１】
本発明は、使い捨て注射器に関わり、より具体的には、針カニューレをプランジャ体に引き込めることが可能な使い捨て注射器に係る。
【背景技術】
【０００２】
図１及び２を参照するに、特許文献１は、自動引き込み針を有する注射器を開示する。この注射器は、チャンバを有するバレル１１と、その下端１１１に隣接してチャンバ内に固定される弾性ロック部材１２と、下端１１１に隣接してチャンバ内に位置付けられ、開口１３１が形成される弾性針台座１３と、開口１３１において針台座１３に締め付けられ、下端１１１におけるオリフィス１１２を通り延在する針カニューレ１４と、チャンバ内で軸（Ｘ）に沿って摺動可能なプランジャ１５と、プランジャ１５内に配置され、プランジャ１５の上方向に延在するリップ１５１に圧入される一体式の環状下足部１６１を有するシャフト１６と、シャフト１６を取り囲み、シャフト１６の上端１６３に接触する一端１７２と、リップ１５１が下足部１６１と係合することにより圧縮された状態に保持される他端１７１を有するバネ１７を含む。ロック部材１２は、内側に突出する弾性リップ１２１を有し、このリップ１２１は、針台座１３の肩１３４に当たり、針台座１３が上方向に動くことを阻止する。
【０００３】
シャフト１６は更に、開口１３１と係合するような形にされる下突出部１６２を含む。従って、プランジャ１５が軸（Ｘ）に沿って下方向に押されると、下突出部１６２は開口１３１の中に挿入され、下足部１６１は、リップ１２１を外側に広げ、それにより、リップ１２１は、肩１３４から外れるように曲げられる。同時に、下足部１６１に対するリップ１２１の残留力により、下足部１６１は僅かに内側に曲げられ、少しの間、下足部１６１がリップ１５１と接触しないようにさせる。次に、バネ１７の圧縮力により、シャフト１６の上端１６３が上方向に推進される。下突出部１６２が開口１３１と係合して収まっていることにより、上方向への動作は、針台座１３及び針カニューレ１４にも伝わり、針台座１３及び針カニューレ１４は、プランジャ１５内へ上方向に推進させられる。
【０００４】
しかし、針台座１３及び針カニューレ１４のプランジャ１５への滑らかな引き込みを確実にするためには、下足部１６１とリップ１５１との係合は、あまりきつくすることはできない。しかし、ゆるい係合は、バネ１７の圧縮力を望ましくなく解放してしまい得る。更に、一部の薬剤が、下足部１６１とリップ１５１との間の隙間から、プランジャ１５内に入ってしまう場合がある。更に、円錐形を有する下足部１６１は、シャフト１６のプランジャ１５内への引き込みを干渉してしまう場合がある。
【特許文献１】米国特許第５，２１１，６２８号
【発明の開示】
【発明が解決しようとする課題】
【０００５】
本発明は、使用済みの針をプランジャ体内に引き込むよう容易に且つ滑らかに動作することのできる、使い捨て注射器を提供することを目的とする。
【課題を解決するための手段】
【０００６】
本発明によると、使い捨て注射器は、軸を取り囲み、且つ、通路を画成する内側周囲バレル壁面を有するバレルを含む。通路は、軸と平行な長手方向において互いに対向するよう置かれる開いた下端及び開いた上端を有する。内側周囲バレル壁面は、開いた下端に近接して置かれる大きい直径のセグメントと、開いた上端に近接して置かれる小さい直径のセグメントを含み、それにより、間に周囲肩部を形成する。小さい直径のセグメントは、前方周囲領域と、周囲肩部に近接する後方周囲領域を含み、大きい直径のセグメントは、周囲肩部に近接する近位周囲領域と、周囲肩部から遠位の遠位周囲領域を含む。
【０００７】
管状針台座は、内部に針カニューレを固定するよう配置され、軸に対して半径方向に延在する周囲前端壁を有するハブ部と、ハブ部から延在する周囲グリップ部と、周囲グリップ部から延在する繋止部を含む。
【０００８】
グリップ部材は、周囲グリップ部を、後方周囲領域及び近位周囲領域の一方に係合させるよう置かれる。グリップ部材は、皮下注射のために針カニューレを刺す動作の間における、後方周囲領域及び近位周囲領域の一方に対する周囲グリップ部の動作を阻止するよう所定の位置に周囲グリップ部を保持し、且つ、グリップ部材に第１の外力が加えられたときに、内側周囲バレル壁面に対する管状針台座の次の動作を可能にするよう、後方周囲領域及び近位周囲領域の一方から、周囲グリップ部を外すことを可能にする抵抗力を与える。
【０００９】
プランジャは、使用位置では、大きい直径のセグメントにおいて可動であるよう置かれ、また、プランジャ体と連結ロッドを含む。
【００１０】
プランジャ体は、繋止部に向かって可動である上端壁と、上端壁とは反対にある下端壁と、上端壁と下端壁の間に置かれ、収容チャンバを画成する管状中間壁を含む。上端壁は、収容チャンバと連通するアクセス開口をその内部に画成する内側円周縁部を有する。
【００１１】
連結ロッドは、アクセス開口内に挿入され、繋止部と係合可能な中央繋止領域を有する上部連結端を含む。繋止部と中央繋止領域との係合は、その係合が、周囲グリップ部を後方周囲領域及び近位周囲領域の一方から外す際に、外れないような保持力でなされる。上部連結端は更に、中央繋止領域を取り囲み、内側円周縁部と摩擦係合するよう置かれる周囲接触領域を有する。この摩擦係合は、管状針台座の上部連結端に対する動作によって上部連結端が下端壁に向かって押されると、連結ロッドが、内側円周縁部から外れ、それにより、連結ロッドが使用位置から、連結ロッドが下端壁の近くに配置される引き込まれた位置に押されることを可能にする。連結ロッドは更に、上部連結端から下端壁に延在し、スラストエンドにて終端するシャンク部を含む。
【００１２】
付勢部材は、シャンク部と管状中間壁との間に置かれ、連結ロッドを引き込まれた位置に付勢する。
【００１３】
保持部材は、付勢部材の付勢動作に対抗して、スラストエンドを使用位置に保持するよう置かれる。
【００１４】
トリガ部材は、第２の外力に応答して、保持部材がスラストエンドを保持することを阻止するよう置かれ、それにより、連結ロッドが引き込まれた位置に向けて付勢されることを可能にする。
【発明を実施するための最良の形態】
【００１５】
本発明の他の特徴及び利点は、添付図面を参照しながら、本発明の好適な実施例の詳細な説明を読むことにより明らかとなろう。
【００１６】
本発明を詳細に説明する前に、明細書全体に亘って、同じ参照番号を同様の構成要素を示すために用いてあることを明記する。
【００１７】
図３及び図４を参照するに、本発明の使い捨て注射器の第１の実施例を示す。第１の実施例は、バレル２と、針カニューレ４２、管状針台座４１、及び、先端保護体４３を含む針組立体４と、グリップ部材３と、プランジャと、付勢部材７と、保持部材８と、トリガ部材とを含む。
【００１８】
バレル２は、軸（Ｘ）を囲み、且つ、通路を画成する内側周囲バレル壁面２３０を有する。通路は、開いた下端２３２と開いた上端２３１を有し、これらの端は、軸（Ｘ）と平行な長手方向において互いに対向して配置される。内面バレル壁面２３０は、大きい直径のセグメント２２と小さい直径のセグメント２１を有し、それぞれ、後部の通路及び前部の通路を画成する。後部の通路は、開いた下端２３２に近接して置かれ、前部の通路は、開いた上端２３１に近接して置かれ、その間に、軸を取り囲む周囲肩部２６が形成される。小さい直径のセグメント２１は、軸を取り囲む前方周囲領域２３３と、周囲肩部２６に近接して軸を取り囲む後方周囲領域２３４と、前方周囲領域２３３と後方周囲領域２３４との間に置かれる肩２３５を含む。大きい直径のセグメント２２は、それぞれ軸を取り囲む近位周囲領域２２１と遠位周囲領域２２２を含み、これらは、長手方向において互いに対向しており、また、近位周囲領域２２１は周囲肩部２６に近接し、遠位周囲領域２２２は周囲肩部２６から遠位にある。近位周囲領域２２１及び遠位周囲領域２２２には、それぞれ保持突出部２３８、２３９が形成される。バレル２は更に、軸（Ｘ）を囲む外側バレル壁面２９を有する。外側バレル壁面２９は、前方外側周囲セグメント２９１及び後方外側周囲セグメント２９２と、前方外側周囲セグメント２９１と後方外側周囲セグメント２９２との間に置かれ、前方外側周囲セグメント２９１から後方外側周囲セグメント２９２に向けて徐々に広がる移行周囲セグメント２９３を含み、前方外側周囲セグメント２９１及び後方外側周囲セグメント２９２は、それぞれ、軸（Ｘ）に対して半径方向において、小さい直径のセグメント２１と大きい直径のセグメント２２に対向して置かれる。リブ部２６が、前方外側周囲セグメント２９１に置かれ、移行周囲セグメント２９３に向かって長手方向に延在する。
【００１９】
針台座４１は、内部に針カニューレ４２を固定するよう置かれるハブ部４１６を含み、ハブ部４１６は、軸（Ｘ）に対し半径方向に延在する周囲前端壁４１１と、ハブ部４１６から長手方向において、周囲前端壁４１１から離れるように延在する周囲グリップ部４１７と、周囲グリップ部４１７から長手方向において、ハブ部４１６から離れるように延在する繋止部４１２とを含む。周囲前端壁４１１は、肩２３５に接触するよう置かれ、それにより、針台座４１が前方向に進むことを阻止する。針カニューレ４２は、開いた上端２３１を通り延在する。先端保護体４３は、針カニューレ４２を保護するためにリブ部２３６上に擦られるようにスリーブ状にはめられる。尚、リブ部２３６を移行周囲セグメント２９３に延在することによって、先端保護体４３とリブ部２３６との固い係合を確実にする。
【００２０】
図５を参照するに、グリップ部材３は、第１の摩擦力で、保持突出部２３８と動かないように係合し、また、近位周囲領域２２１と密水性であるよう係合する外側グリップ壁面３２と、軸（Ｘ）に対し半径方向において外側グリップ壁面３２の反対側にあり、第２の摩擦力で、針台座４１の周囲グリップ部４１７と動かないように係合する内側グリップ壁面３１を含む。第２の摩擦力と第１の摩擦力は共に、抵抗力を与える。従って、針台座４１の周囲グリップ部４１７は、グリップ部材３を介して、近位周囲領域２２１と係合するようにされる。抵抗力（即ち、第１の摩擦力及び第２の摩擦力）は、皮下注射のために針カニューレ４２を刺す動作の際に、近位周囲領域２２１に対する周囲グリップ部４１７の動作を阻止するよう、周囲グリップ部４１７を所定の位置に保持することを可能にし、また、周囲グリップ部４１７に第１の外力が加わると、内側周囲バレル壁面２３０に対する針台座４１の次の動作を可能にするよう近位周囲領域２２１から周囲グリップ部４１７を外すことを可能にする。
【００２１】
プランジャは、プランジャ体５と連結ロッド６を含み、使用位置では、大きい直径のセグメント２２内で可動であるよう置かれる。
【００２２】
プランジャ体５は、繋止部４１２に向かって可動であるよう置かれる上端壁５４３と、上端壁５４３とは長手方向において対向するようにあり、開いた下端２３２の外側に延在して、それにより、手動により動作可能であるようにされる下端壁５４４と、上端壁５４３と下端壁５４４との間に置かれ、収容チャンバ５１を画成する管状の中間壁５４とを含む。収容チャンバ５１は、前方チャンバ領域５１１と後方チャンバ領域５１２を含み、それぞれ、上端壁５４３と下端壁５４４に近接し、後方チャンバ領域５１２は、前方チャンバ領域５１１の内径より大きい内径を有する。上端壁５４３は、軸（Ｘ）を囲み、内部に、収容チャンバ５１に連通するアクセス開口５３を画成する内側円周縁部５４５を有する。変形可能なリング５６が、上端壁５４３上に動かないようスリーブ状にはめられる。管状の中間壁５４は、軸（Ｘ）に対し半径方向において互いに対向する外側管状壁面５４６及び内側管状壁面５４１を有する。エンドキャップ５５が、下端壁５４４を覆うように置かれる。
【００２３】
連結ロッド６は、上部連結端６１とシャンク部６７を含む。上部連結端６１は、アクセス開口５３内に挿入され、また、繋止部４１２に対応し、繋止部４１２と係合可能であるよう長手方向において延在する係合凹部を有する中央繋止領域６３を有する。この実施例では、係合凹部と繋止部４１２は、中央繋止領域６３と繋止部４１２の係合が、周囲グリップ部４１７を近位周囲領域２２１から外す際に、外れないような保持力で、互いに係合するような形にされる。上部連結端６１は更に、中央繋止領域６３を取り囲み、内側円周縁部５４５と摩擦係合するよう置かれる周囲接触領域６６を有する。従って、上部連結端６１に対する針台座４１の動作によって、上部連結端６１が、下端壁５４４に向かって押されると、連結ロッド６は、内側円周縁部５４５から外れ、それにより、連結ロッド６が、使用の位置から、連結ロッド６が下端壁５４４のより近くに置かれる、引き込まれた位置に付勢されることを可能にする。シャンク部６７は、上部連結端６１から下端壁５４４に向かって延在し、スラストエンド６２において終端する。
【００２４】
保持部材８は、前方チャンバ領域５１１において内側管状壁面５４１に形成され、外側管状壁面５４６に向かって半径方向に延在し、上端壁５４３からずらされるスパイラル保持溝８１と、スラストエンド６２に形成される位置決め溝８２を含む。
【００２５】
付勢部材７は、シャンク部６７を囲むコイル状のバネ７である。コイルバネ７は、上端壁５４３の階段部５４２に接触する上端７１と、上端７１の反対側にあり、上端７１の直径より略大きい直径を有する下端７２を有する。下端７２は、コイルバネ７の付勢動作に対抗して、保持溝８１内に挿入され且つ保持溝８１内に固定され、それにより、付勢動作に対抗してスラストエンド６２を使用の位置に保持する。
【００２６】
この実施例では、トリガ部材は、コイルバネ７と一体に形成される作動部を含む。作動部は、スラストエンド６２と共に動くよう位置決め溝８２内に挿入される押し端８３と、第２の外力に応答して、上部連結端６１が、内側円周縁部５４５から外れるよう押されるとき、押し端８３がスラストエンド６２と共に下方向に動かされると、保持溝８１から下端７２を引き抜くよう置かれる引き抜き端８９を有し、それにより、連結ロッド６が、コイルバネ７の付勢動作により押されて、引き込まれた位置に動かされることが可能となる。
【００２７】
使用時には、プランジャ体５は前方方向に押されて、それにより、リング５６がグリップ部材３に対して押され、注射過程を完了する。図５に示すように、この状態において、繋止部４１２の一部は、中央繋止領域６３の係合凹部内に挿入される。
【００２８】
続いて、図６を参照するに、抵抗力より大きい押力、即ち、上述した第１の外力が、プランジャ体５に更に加えられると、上端壁５４３とリング５６は動かされて、グリップ部材３は、周囲前端壁４１１が肩２３５に接触するので、周囲グリップ部４１７に対して周囲肩部２６に向けて押される。周囲グリップ部４１７は、内側グリップ壁面３１及び近位周囲領域２２１から外れ、それにより、繋止部４１２が、中央繋止領域６３の係合凹部に係合することが可能となる。
【００２９】
図７及び図８を参照するに、別の力、即ち、第２の外力が加えられて、周囲肩部２６に向けてグリップ部材３を押すようプランジャ体５が押されると、中央繋止領域６３と繋止部４１２が係合しているので連結ロッド６が動くことは阻止され、内側円周縁部５４５は、コイルバネ７の下端７２が保持溝８１から外れるように周囲接触領域６６に対して動き、それにより、コイルバネ７の付勢動作によって、連結ロッド６が引き込まれた位置に押されることが可能にされる。同時に、中央繋止領域６３と繋止部４１２の係合により、針台座４１と針カニューレ４２は、収容チャンバ５１内に引き込まれることが可能であり、また、エンドキャップ５５によって、収容チャンバ５１内に保持されることが可能である。尚、後方室セグメント５１２のサイズは、前方室セグメント５１１のサイズより大きいので、付勢部材７の進路は、付勢部材７が連結ロッド６を引き込み位置に向けて付勢するときには、クリアにされる。
【００３０】
或いは、図９を参照するに、プランジャ体５は、中央繋止領域６３と繋止部４１２が係合した後に、後方に引かれる場合もあり、それにより、針台座４１及び針カニューレ４２が、コイルバネ７の付勢動作を用いることなく、バレル２の通路に引き込まれることが可能になる。
【００３１】
図１０及び図１１を参照するに、本発明の使い捨て注射器の第２の好適な実施例を示す。第２の好適な実施例は、その構成において、第１の好適な実施例と類似する。差は、連結ロッド６のスラストエンド６２が、広げられた端縁８４を有し、この端縁８４は、シャンク部６７と協働して、コイルバネ７の下端７２を係合するための接触肩６２１を形成することである。保持部材８は更に、広げられた端縁８４上に形成され、且つ、広げられた端縁８４から半径方向に延在するスパイラル状に取り囲む突出部８５を有し、それにより、プランジャ体５の内側管状壁面５４１の保持溝８１と開放可能なように係合する。
【００３２】
従って、繋止部４１２を押して、第２の外力によって、上部連結端６１を内側円周縁部５４５に対して動かすと、突出部８５が動かされて保持溝８１から外れ、それにより、連結ロッド６と、針台座４１と、針カニューレ４２が、収容チャンバ５１内に引き込まれることを可能にする。
【００３３】
図１２及び図１３を参照するに、本発明の使い捨て注射器の第３の好適な実施例を示す。第３の好適な実施例は、その構成において、第１の好適な実施例と類似し、更に、後方周囲領域２３４と気密であるように係合し、それにより、グリップ部材３と協働して、近位周囲領域２２１内に圧縮可能なチャンバ４４３を画成するシール部材４４を更に含む。圧縮可能なチャンバ４４３には、液体が入れられる。シール部材４４は、互いに接触するエラストマープレート４４１とエラストマーリング４４２を含む。更に、針台座４１のハブ部４１６は、ハブ部４１６を通るよう形成され、圧縮可能なチャンバ４４３と流体連通するスルーホール４１３を有する。従って、グリップ部材３が周囲肩部２６に向けて動かされると、流体は、スルーホール４１３に流れ込むようにされ、それにより、連結ロッド６の上部連結端６１と、針台座４１及び針カニューレ４２の、下端面５４４に向けて押し下がることが支援され、従って、連結ロッド６の引き込まれた位置への移動を速める。
【００３４】
図１４及び図１６を参照するに、本発明の使い捨て注射器の第４の好適な実施例は、例えば、１ｍｌといった非常に少量の薬剤を注入するよう適応される。従って、バレル２と、グリップ部材３と、針台座４１と、プランジャ体５と、連結ロッド６と、付勢部材７と、保持部材８は、その寸法において比較的小さい。更に、エンボスピン６５が、押し端８３から前方方向に延在し、連結ロッド６の中央繋止領域６３の前方方向に突出し、ネジ山がエンボスピン６５に形成される。エンボスピン６５は、針台座４１の繋止部４１２に向けて延在し、繋止部４１２内に挿入され、繋止部４１２内で保持され、それにより、保持力を供給する。
【００３５】
或いは、図１５を参照するに、エンボスピン６５は、更に、連結ロッド６の中央繋止領域６３に形成され、且つ、中央繋止領域６３から延在する。
【００３６】
更に、針取付け台４５が設けられて、針カニューレ４２と、針台座４１のハブ部４１６にスリーブ状にはめられ、且つ、針カニューレ４２と、針台座４１のハブ部４１６を固定する。針取付け台４５と、針カニューレ４２と、針台座４１の組立体が、バレル２内に挿入される。従って、針カニューレ４２と針台座４１のバレル２への取付けを容易に行うことが可能であり、バレル２の小さい直径のセグメント２１は、製造を容易にするために比較的大きい直径を有することが可能である。
【００３７】
図１７及び図１８を参照するに、本発明の使い捨て注射器の第５の好適な実施例を示す。第５の好適な実施例は、その構成において第１の好適な実施例と類似し、更に、カテーテルハブ９１と管状カテーテル９２を含む静脈カテーテル装置９を含む。カテーテルハブ９１は、その内部にダクトを画成し、開いた上端２３１に隣接してバレル２の外側バレル壁面２９上にスリーブ状にはめられるスリーブ部と、軸に沿ってスリーブ部とは反対側の先端部を含む。管状カテーテル９２は、カテーテルハブ９１の先端部に置かれ、ダクトと流体連通するよう軸に沿って延在する近位セグメントと、先端部から外側に突出するよう軸に沿って近位セグメントから延在する遠位セグメントを有する。針カニューレ４２は、管状カテーテル９２内を延在して、管状カテーテル９２の遠位セグメントから外側に延在する先端４２１において終端する。
【００３８】
使用時には、先端４２１と管状カテーテル９２の遠位セグメントが、患者の血管に挿入されると、使用者は、プランジャ体５を僅かに後方に引いて血を引き出し、それにより、管状カテーテル９２が患者の血管に正確に挿入されたことを確認する。針カニューレ４２が管状カテーテル９２から取り除かれる後、針台座４１と針カニューレ４２は、上述したやり方と同じようなやり方でプランジャ体５内に引き込まれる。
【００３９】
図１９を参照するに、本発明の使い捨て注射器の第６の好適な実施例を示す。第６の好適な実施例は、その構成において、第５の好適な実施例と類似しており、更に、第１の雄ネジ山セグメント５４７と、第１の雌ネジ山セグメント２４を含み、これらは、それぞれ、プランジャ体５の外側管状壁面５４６と、バレル２の大きい直径のセグメント２２の遠位周囲領域２２２上に置かれる。第１の雄ネジ山セグメント５４７が、第１の雌ネジ山セグメント２４とネジ込み係合して、第２の外力を提供すると、プランジャ体５は、グリップ部材３を周囲肩部２６に向けて押すために、より容易に動かされることが可能となる。
【００４０】
図２０を参照するに、本発明の使い捨て注射器の第７の好適な実施例を示す。第７の好適な実施例は、その構成において第６の実施例と類似する。差は、グリップ部材が、バレル２の小さい直径のセグメント２１の後方周囲領域２３４に置かれる第２の雌ネジ山セグメント２５と、針台座４１の周囲グリップ部４１７上に置かれる第２の雄ネジ山セグメント４１５を含むことである。第２の雄ネジ山セグメント４１５は、第２の雌ネジ山セグメント２５とネジ込み係合するが、その係合は、周囲グリップ部４１７と後方周囲領域２３４との間に抵抗力が与えられ、また、第２の雌ネジ山セグメント２５から第２の雄ネジ山セグメント４１５を外すことにより、抵抗力がなくなり、周囲グリップ部４１７を後方周囲領域２３４から外すことを可能にするよう行われる。
【００４１】
更に、中央繋止領域６３は、中央繋止領域６３の係合凹部に配置される第３の雌ネジ山セグメント６８を有する。繋止部４１２は、第３の雄ネジ山セグメント４１４を有する。繋止部４１２は、第３の雄ネジ山セグメント４１４と第３の雌ネジ山セグメント６８を互いに回転することにより中央繋止領域６３に係合するようにされ、それにより、保持力が与えられる。
【００４２】
従って、図２０乃至図２２を参照するに、プランジャ体５が、第１の雄ネジ山セグメント５４７と第１の雌ネジ山セグメント２４のネジ込み係合により回転されると、第３の雌ネジ山セグメント６８は、第３の雄ネジ山セグメント４１４と係合することが可能にされ、また、第２の雄ネジ山セグメント４１５は、第２の雌ネジ山セグメント２５から外れることが可能にされ、それにより、連結ロッド６は上述したように押され、それにより、針台座４１と針カニューレ４２のプランジャ体５内への引き込みを可能にする。
【００４３】
図２４及び図２５を参照するに、本発明の使い捨て注射器の第８の好適な実施例を示す。第８の好適な実施例は、その構成において、第７の好適な実施例と類似する。差は、連結ロッド６のスラストエンド６２が、広げられる端縁８４を有し、この端縁８４は、シャンク部６７と協働して、コイルバネ７の下端７２を係合するための接触肩６２１を形成する点である。プランジャ体５の管状中間壁５４の外側管状壁面５４６は、内側管状壁面５４１を通り半径方向に延在するアクセス孔８６を有する。
【００４４】
更に、保持部材８は、アクセス孔８６内に受容されるロックピン８７２を有し、このロックピン８７２は、ロックピン８７２が収容チャンバ５１内に入り、コイルバネ７の付勢動作に対抗して広げられた端縁８４に接触するロック位置（図２５参照）と、ロックピン８７２が引かれて、広げられた端縁８４を開放し、それにより、連結ロッド６が、コイルバネ７の付勢動作によって、引き込まれた位置に動かされる開放位置（図２６参照）との間で半径方向において可動である。
【００４５】
更に、トリガ部材が、レバー８７として形成され、レバー８７は、Ｃ形のクリップ８８によって支点８７１において外側管状壁面５４６上にピボット可能に取付けられる。Ｃ型クリップ８８は、外側管状壁面５４６にスリーブ状に取付けられ、支点８７１を通る端８８１を有する。レバー８７は、ロックピン８７２と一体に形成される重み端８７４と、支点について重み端８７４とは反対側に置かれ、ロックピン８７２を開放位置に移すよう動かされる作動端８７３を含む。
【００４６】
図２７を参照するに、或いは、第９の好適な実施例において、プランジャ体５の管状中間壁５４は、２つのアクセス孔８６を有し、保持部材８は、２つのロックピン８７２を有し、そして、トリガ部材は、Ｃ形クリップ８８によって管状中間壁５４にピボット可能に取付けられる２つのレバー８７を有する。レバー８７の作動端８７３を押すことによって、ロックピン８７２を引き、それにより、コイルバネ７の付勢力による、連結ロッド６の引き込み動作を可能にする。
【００４７】
上述したように、本発明の使い捨て注射器は、以下の利点を有する。
１．注射過程を終了した後、第１及び第２の外力が与えられて、プランジャ体５を前方に押し、それにより、針台座４１の周囲グリップ部４１７が後方周囲領域２３４及び近位周囲領域２２１から外れ、従って、繋止部４１２の中央繋止領域６３への係合と、針台座４１と針カニューレ４２のプランジャ体５内への引き込みを可能にする。それにより、注射器の廃棄を安全且つ好都合にする。
２．連結ロッド６は、プランジャ体５の内側円周縁部５４５と気密係合しているので、薬剤の流体のプランジャ体５内への浸入を阻止できる。更に、使い捨て注射器は、比較的安い費用で製造及び組立てすることのできる単純な構成を有する。
３．使い捨て注射器は、患者の血管に薬剤流体を投与する又は採血するために、患者の血管内に管状カテーテル９２を挿入するための静脈カテーテル挿入装置として作用することができる。
【００４８】
本発明は、最も実用的で、且つ、最も好適であると考えられる実施例に関連して説明したが、本発明は開示した実施例に制限されるものではなく、最大の解釈及び等価の構成の技術的思想及び範囲内に含まれる様々な構成を含むものであることを理解するものとする。
【図面の簡単な説明】
【００４９】
【図１】従来の注射器を示す断面図である。
【図２】使用後の従来の注射器を示す部分断面図である。
【図３】本発明の使い捨て注射器の第１の好適な実施例を示す分解断面図である。
【図４】使用状態における第１の好適な実施例を示す断面図である。
【図５】グリップ部材が様々な状態にある第１の好適な実施例を示す部分断面図である。
【図６】グリップ部材が様々な状態にある第１の好適な実施例を示す部分断面図である。
【図７】グリップ部材が様々な状態にある第１の好適な実施例を示す部分断面図である。
【図８】引き込まれた状態にある第１の好適な実施例を示す断面図である。
【図９】もう１つの引き込まれた状態にある第１の好適な実施例を示す断面図である。
【図１０】本発明の使い捨て注射器の第２の好適な実施例を示す断面図である。
【図１１】管状針台座が係合状態にある第２の好適な実施例を示す断面図である。
【図１２】本発明の使い捨て注射器の第３の好適な実施例を示す断面図である。
【図１３】引き込まれた状態にある第３の好適な実施例を示す断面図である。
【図１４】本発明の使い捨て注射器の第４の好適な実施例を示す断面図である。
【図１５】第４の好適な実施例の管状針台座及び連結ロッドの代替の構成を示す部分断面図である。
【図１６】引き込まれた状態にある第４の好適な実施例を示す断面図である。
【図１７】本発明の使い捨て注射器の第５の好適な実施例を示す断面図である。
【図１８】引き込まれた状態にある第５の好適な実施例を示す分解断面図である。
【図１９】本発明の使い捨て注射器の第６の好適な実施例を示す部分断面図である。
【図２０】本発明の使い捨て注射器の第７の好適な実施例を示す断面図である。
【図２１】グリップ部材が異なる状態にある第７の好適な実施例を示す部分断面図である。
【図２２】グリップ部材が異なる状態にある第７の好適な実施例を示す部分断面図である。
【図２３】引き込まれた状態にある第７の好適な実施例を示す断面図である。
【図２４】本発明の使い捨て注射器の第８の好適な実施例を示す側面図である。
【図２５】第８の好適な実施例を示す部分断面図である。
【図２６】引き込まれた状態にある第８の好適な実施例を示す部分断面図である。
【図２７】本発明の使い捨て注射器の第９の好適な実施例を示す分解部分断面図である。
【符号の説明】
【００５０】
２      バレル
２１    小さい直径のセグメント
２２    大きい直径のセグメント
２６    周囲肩部
２９    内側周囲バレル壁面
２２１  近位周囲領域
２２２  遠位周囲領域
２３０  内側周囲バレル壁面
２３１  上端
２３２  下端
２３３  前方周囲領域
２３４  後方周囲領域
２３５  肩
２３６  リブ部
２３８  保持突出部
２３９  保持突出部
２４    第１の雌ネジ山セグメント
２５    第２の雌ネジ山セグメント
２９１  前方外側周囲セグメント
２９２  後方外側周囲セグメント
２９３  移行周囲セグメント
３      グリップ部材
３１    内側グリップ面
３２    外側グリップ面
４      針組立体
４１    管状針台座
４１１  周囲前端壁
４１２  繋止部
４１３  スルーホール
４１４  第３の雄ネジ山セグメント
４１５  第２の雄ネジ山セグメント
４１６  ハブ部
４１７  周囲グリップ部
４２    針カニューレ
４２１  先端
４３    保護体
４４    シール部材
４４１  エラストマープレート
４４２  エラストマーリング
４５    針取付け台
５      プランジャ体
５１    収容チャンバ
５１１  前方チャンバ領域
５１２  後方チャンバ領域
５３    アクセス開口
５４    中間壁
５４１  内側管状壁面
５４２  階段部
５４３  上端壁
５４４  下端壁
５４５  内側円周縁部
５４６  外側管状壁面
５４７  第１の雄ネジ山セグメント
５５    エンドキャップ
５６    変形可能リング
６      連結ロッド
６１    上部連結端
６２    スラストエンド
６２１  接触肩
６３    中央繋止領域
６５    エンボスピン
６６    周囲接触領域
６７    シャンク部
６８    第３の雌ネジ山セグメント
７      付勢部材
７１    上端
７２    下端
８      保持部材
８１    固定溝
８２    位置決め溝
８３    押し端
８４    広げられた端縁
８５    突出部
８７    レバー（トリガ部材）
８７１  支点
８７２  固定ピン
８７３  作動端
８７４  重み端
８８１  端
８９    引き抜き端
９      カテーテル装置
９１    カテーテルハブ
９２    管状カテーテル
【図１】
2004321775.tif 000003
【図２】
2004321775.tif 000004
【図３】
2004321775.tif 000005
【図４】
2004321775.tif 000006
【図５】
2004321775.tif 000007
【図６】
2004321775.tif 000008
【図７】
2004321775.tif 000009
【図８】
2004321775.tif 000010
【図９】
2004321775.tif 000011
【図１０】
2004321775.tif 000012
【図１１】
2004321775.tif 000013
【図１２】
2004321775.tif 000014
【図１３】
2004321775.tif 000015
【図１４】
2004321775.tif 000016
【図１５】
2004321775.tif 000017
【図１６】
2004321775.tif 000018
【図１７】
2004321775.tif 000019
【図１８】
2004321775.tif 000020
【図１９】
2004321775.tif 000021
【図２０】
2004321775.tif 000022
【図２１】
2004321775.tif 000023
【図２２】
2004321775.tif 000024
【図２３】
2004321775.tif 000025
【図２４】
2004321775.tif 000026
【図２５】
2004321775.tif 000027
【図２６】
2004321775.tif 000028
【図２７】
2004321775.tif 000029